(57)【要約】【課題】本発明はデータ送受信端末機及び方法を提供する。【解決手段】第１ボディーと、第１ボディーから開閉可能なように前記第１ボディーに接続される第２ボディーと、前記第１ボディーに内蔵する一つ以上のアンテナと、前記第２ボディーに内蔵する一つ以上のアンテナを備える。【選択図】図３
2011082978.tif 000002
【特許請求の範囲】
【請求項１】
第１ボディーと、
前記第１ボディーから開閉可能なように前記第１ボディーに接続される第２ボディーと、
前記第１ボディーに内蔵する多数の第１アンテナと、
前記第２ボディーに内蔵する多数の第２アンテナと、を備えることを特徴とするデータ送受信端末機。
【請求項２】
前記第１ボディーと前記第２ボディーを回動可能に接続するヒンジをさらに備えることを特徴とする、請求項１記載のデータ送受信端末機。
【請求項３】
前記第１ボディーから突き出されたＵＳＢコネクターをさらに備えることを特徴とする、請求項２記載のデータ送受信端末機。
【請求項４】
前記第２ボディーは前記ヒンジを中心に回動して前記ＵＳＢコネクターを開閉することを特徴とする、請求項３記載のデータ送受信端末機。
【請求項５】
前記第２ボディーに設置される識別モジュールカードフォトをさらに備え、
前記識別モジュールカードフォトには、使用者認証モジュール、加入者認証モジュール、汎用使用者認証モジュール中の何れか一つを含む識別モジュールカードが装脱着可能に挿入されることを特徴とする、請求項４記載のデータ送受信端末機。
【請求項６】
前記データ送受信端末機を外部情報端末機のＵＳＢインターフェースフォトに接続する時、前記第２ボディーは前記第１ボディーからおおよそ９０゜の角度で開放されることを特徴とする、請求項４記載のデータ送受信端末機。
【請求項７】
ヒンジは前記第１ボディーの第１端部で前記第１及び第２ボディーを接続し、
前記第１ボディーに内蔵する前記第１アンテナは前記第１ボディーの第１端部の反対側端部である第２端部に位置することを特徴とする、請求項１記載のデータ送受信端末機。
【請求項８】
前記第１ボディーに内蔵する前記第１アンテナは一つ以上の第１プライマリーアンテナと一つ以上の第１ダイバーシティーアンテナを含み、
前記第１プライマリーアンテナはＰＣＳ周波数で信号を送受信するＰＣＳプライマリーアンテナ、ＣＤＭＡ／ＤＣＮ／ＷＣＤＭＡ周波数で信号を送受信するＣＤＭＡ／ＤＣＮ／ＷＣＤＭＡプライマリーアンテナ、ＧＳＭ周波数で信号を送受信するＧＳＭプライマリーアンテナ、ＬＴＥ／ＵＭＢ周波数で信号を送受信するＬＴＥ／ＵＭＢプライマリーアンテナ中の一つ以上のアンテナを含み、
前記第１ダイバーシティーアンテナはＤＣＮ／ＰＣＳ周波数で信号を受信するｅ−ＨＲＰＤ用ダイバーシティーアンテナ、Ｗ−ＣＤＭＡ周波数で信号を受信するＨＳＤＰＡ／ＨＳＵＰＡ／ＨＳＰＡ用ダイバーシティーアンテナ、ＬＴＥ周波数で信号を受信するＬＴＥ用ダイバーシティーアンテナ中の一つ以上のアンテナを含むことを特徴とする、請求項１記載のデータ送受信端末機。
【請求項９】
前記第２ボディーに内蔵する前記第２アンテナは一つ以上の第２プライマリーアンテナと一つ以上の第２ダイバーシティーアンテナを含み、
前記第２プライマリーアンテナはＰＣＳ周波数で信号を送受信するＰＣＳプライマリーアンテナ、ＣＤＭＡ／ＤＣＮ／ＷＣＤＭＡ周波数で信号を送受信するＣＤＭＡ／ＤＣＮ／ＷＣＤＭＡプライマリーアンテナ、ＧＳＭ周波数で信号を送受信するＧＳＭプライマリーアンテナ、ＬＴＥ／ＵＭＢ周波数で信号を送受信するＬＴＥ／ＵＭＢプライマリーアンテナ中の一つ以上のアンテナを含み、
前記第２ダイバーシティーアンテナはＤＣＮ／ＰＣＳ周波数で信号を受信するｅ−ＨＲＰＤ用ダイバーシティーアンテナ、Ｗ−ＣＤＭＡ周波数で信号を受信するＨＳＤＰＡ／ＨＳＵＰＡ／ＨＳＰＡ用ダイバーシティーアンテナ、ＬＴＥ周波数で信号を受信するＬＴＥ用ダイバーシティーアンテナ中の一つ以上のアンテナを含むことを特徴とする、請求項８記載のデータ送受信端末機。
【請求項１０】
前記第１ボディーに内蔵する前記第１アンテナは７００Ｍｈｚ／８５０Ｍｈｚ／１９００Ｍｈｚの広帯域モノポールアンテナを含むことを特徴とする、請求項１記載のデータ送受信端末機。
【請求項１１】
前記第２ボディーに内蔵する前記第２アンテナは７００Ｍｈｚ／８５０Ｍｈｚ／１９００Ｍｈｚのチップアンテナとモノポールアンテナの中の少なくとも一つ以上を含むことを特徴とする、請求項１０記載のデータ送受信端末機。
【請求項１２】
前記第２ボディーに内蔵する前記第２アンテナは、ＦＰＣＢと同軸ケーブルの中の何れか一つを通じて前記第１ボディー内のプリント回路ボードに接続されて、
前記第１ボディーに内蔵したアンテナのグラウンド面と前記第２ボディーに内蔵したアンテナのグラウンド面が分離することを特徴とする、請求項１記載のデータ送受信端末機。
【請求項１３】
第１ボディーに多数の第１アンテナを内蔵する段階と、
第２ボディーに多数の第２アンテナを内蔵する段階と、
前記第１ボディーから開閉可能なように前記第１ボディーに前記第２ボディーを接続する段階と、を含むことを特徴とするデータ送受信方法。
【請求項１４】
前記第１ボディーに前記第２ボディーを接続する段階は、
ヒンジを通じて前記第１ボディーと前記第２ボディーを回動可能に接続する段階を含むことを特徴とする、請求項１３記載のデータ送受信方法。
【請求項１５】
前記第１ボディーから突き出されたＵＳＢコネクターを形成する段階をさらに含むことを特徴とする、請求項１４記載のデータ送受信方法。
【請求項１６】
前記第２ボディーは前記ヒンジを中心に回動して前記ＵＳＢコネクターを開閉することを特徴とする、請求項１５記載のデータ送受信方法。
【請求項１７】
データ送受信端末機を外部情報端末機のＵＳＢインターフェースフォトに接続する時、前記第２ボディーは前記第１ボディーからおおよそ９０゜の角度で開放されることを特徴とする、請求項１６記載のデータ送受信方法。
【請求項１８】
前記ヒンジを通じて前記第１ボディーと前記第２ボディーを回動可能に接続する段階は、
前記ヒンジを通じて前記第１ボディーの第１端部で前記第１及び第２ボディーを接続する段階を含み、
前記第１ボディーに多数の第１アンテナを内蔵する段階は、
前記第１ボディーに内蔵する前記第１アンテナを前記第１ボディーの第１端部の反対側端部である第２端部に内蔵する段階を含むことを特徴とする、請求項１４記載のデータ送受信方法。
【請求項１９】
前記第１ボディーに内蔵する前記第１アンテナは一つ以上の第１プライマリーアンテナと一つ以上の第１ダイバーシティーアンテナを含み、
前記第１プライマリーアンテナはＰＣＳ周波数で信号を送受信するＰＣＳプライマリーアンテナ、ＣＤＭＡ／ＤＣＮ／ＷＣＤＭＡ周波数で信号を送受信するＣＤＭＡ／ＤＣＮ／ＷＣＤＭＡプライマリーアンテナ、ＧＳＭ周波数で信号を送受信するＧＳＭプライマリーアンテナ、ＬＴＥ／ＵＭＢ周波数で信号を送受信するＬＴＥ／ＵＭＢプライマリーアンテナ中の一つ以上のアンテナを含み、
前記第１ダイバーシティーアンテナはＤＣＮ／ＰＣＳ周波数で信号を受信するｅ−ＨＲＰＤ用ダイバーシティーアンテナ、Ｗ−ＣＤＭＡ周波数で信号を受信するＨＳＤＰＡ／ＨＳＵＰＡ／ＨＳＰＡ用ダイバーシティーアンテナ、ＬＴＥ周波数で信号を受信するＬＴＥ用ダイバーシティーアンテナ中の一つ以上のアンテナを含むことを特徴とする、請求項１３記載のデータ送受信方法。
【請求項２０】
前記第２ボディーに内蔵する前記第２アンテナは一つ以上の第２プライマリーアンテナと一つ以上の第２ダイバーシティーアンテナを含み、
前記第２プライマリーアンテナはＰＣＳ周波数で信号を送受信するＰＣＳプライマリーアンテナ、ＣＤＭＡ／ＤＣＮ／ＷＣＤＭＡ周波数で信号を送受信するＣＤＭＡ／ＤＣＮ／ＷＣＤＭＡプライマリーアンテナ、ＧＳＭ周波数で信号を送受信するＧＳＭプライマリーアンテナ、ＬＴＥ／ＵＭＢ周波数で信号を送受信するＬＴＥ／ＵＭＢプライマリーアンテナ中の一つ以上のアンテナを含み、
前記第２ダイバーシティーアンテナはＤＣＮ／ＰＣＳ周波数で信号を受信するｅ−ＨＲＰＤ用ダイバーシティーアンテナ、Ｗ−ＣＤＭＡ周波数で信号を受信するＨＳＤＰＡ／ＨＳＵＰＡ／ＨＳＰＡ用ダイバーシティーアンテナ、ＬＴＥ周波数で信号を受信するＬＴＥ用ダイバーシティーアンテナ中の一つ以上のアンテナを含むことを特徴とする、請求項１９記載のデータ送受信方法。
【発明の詳細な説明】
【技術分野】
【０００１】
本発明は有/無線インターフェースを通じて外部情報端末機に接続され、多重入出力技術を通じてデータを送受信するデータ送受信端末機及び方法に関する。
【背景技術】
【０００２】
移動通信技術は第４世代移動通信で発展している。第４世代移動通信技術の核心技術は多重入出力(Multi-Input Multi-Output、ＭＩＭＯ)技術である。多重入出力技術はモバイル環境で多数のアンテナを使ってデータを送受信する多重アンテナ信号処理方式として多数のアンテナでデータを同時に送受信することで広帯域無線データ通信を具現し送受信速度を大きく向上させ送信効率を高めてくれる。多重入出力（ＭＩＭＯ）技術を利用して送信端にＮ個のアンテナを配列して受信端にもＮ個のアンテナを配列して信号を送ればＮ倍の送信率増加効果を得ることができる。特に、多重入出力技術は第４世代移動通信技術の代表的なＬＴＥ(Long Term Evolution)で使われるＯＦＤＭ(Orthogonal Frequency Division Multiplexing)と共に使えば伝送速度の高速化とデータの大容量化が可能になってマルチメディアサービスに最適化された環境を構築することができる。ＯＦＤＭ技術は周波数と時間を分けて割り当てする方式で一つのチャンネルをいくつかで分けて送ることができ、サブチャンネル間オーバーラッピングで帯域幅を節約することができ、周波数帯域を数百個で分けて周波数干渉を最小化することができる。
【０００３】
コンピューターや携帯電話のような情報端末機に接続されて情報端末機と移動通信網、または情報端末機と無線インターネット網の間のデータ送受信を中継する小型データ送受信装置に対する需要が急増している。ところが、小型データ送受信装置にはアンテナ間のカップリング問題とアンテナの設置空間の制約によって、多数のアンテナを必要とする多重入出力技術が適用されにくい。
【０００４】
最近、ＬＴＥ新規周波数で３ＧＰＰバンド(band)１２、１３、１７の７００Ｍｈｚ帯域の既存周波数よりさらに低い周波数が割り当てされた。これによって、アンテナのグラウンド面すなわち、プリント回路ボード(Printed Circuit Board、ＰＣＢ)の大きさを確張する必要がある。しかし小型端末機サイズ制約によってＬＴＥ新規周波数に相応しいアンテナのグラウンド面設計が難しい実情である。
【発明の概要】
【発明が解決しようとする課題】
【０００５】
本発明の目的は、携帯が可能で多重入出力技術を具現するようにしたデータ送受信端末機及び方法を提供することにある。
【課題を解決するための手段】
【０００６】
前記技術的課題を果たすための本発明の一つの実施の形態によるデータ送受信端末機は第１ボディーと、第１ボディーから開閉可能するように前記第１ボディーに接続される第２ボディーと前記第１ボディーに内蔵する一つ以上のアンテナと、前記第２ボディーに内蔵する一つ以上のアンテナを備える。
【発明の効果】
【０００７】
本発明は、第１ボディーにアンテナを内蔵し、第１ボディーから開閉される第２ボディーにアンテナを内蔵して携帯可能な小型の大きさの端末機にアンテナの間の相互干渉を最小化した多重入出力技術を具現することができる。
【図面の簡単な説明】
【０００８】
【図１】本発明の実施の形態に係るデータ送受信端末機を示すブロック図である。
【図２】本発明の実施の形態に係るデータ送受信端末機の斜視図である。
【図３】本発明の実施の形態に係るデータ送受信端末機の斜視図である。
【図４Ａ】データ送受信端末機の内部構成を示す前方平面図、側面図及び後方平面図である。
【図４Ｂ】データ送受信端末機の内部構成を示す前方平面図、側面図及び後方平面図である。
【図４Ｃ】データ送受信端末機の内部構成を示す前方平面図、側面図及び後方平面図である。
【図５】データ送受信端末機の第１ボディーと第２ボディーの他の連結構造例を示す図である。
【図６】データ送受信端末機の第１ボディーと第２ボディーの他の連結構造例を示す図である。
【図７】本発明のデータ送受信端末機と外部情報端末機の連結状態を示す斜視図である。
【発明を実施するための形態】
【０００９】
本発明の前述した目的、特徴及び長所は添付された図面に係る後の詳細な説明を通じてより明らかになる。
【００１０】
以下では本発明による望ましい実施の形態を添付された図面を参照して詳しく説明する。明細書全体にかけて同一参照符号は同一構成要素を指称する。
【００１１】
また、本発明に係る公知機能あるいは構成に対する具体的な説明が本発明の要旨を不必要に曇ることができると判断される場合、その詳細な説明を省略する。
【００１２】
以下、本発明に係る移動端末機に対して図面を参照してより詳細に説明する。以下の説明で使われる構成要素に対する接尾辞「モジュール」及び「部」は、明細書作成の容易性を考慮して付与されるとか混用されるものであって、そのものにお互いに区別される意味または役目を有するものではない。
【００１３】
本明細書で説明されるデータ送受信装置は、ＵＳＢドングルタイプ(Dongle type)のデータカード、ドングル(またはブロードバンド無線アダプダ)端末機、ＭＰ３プレーヤー、ＰＭＰ(Portable Media Playerまたは Portable Multimedia Player)、携帯電話、スマートフォン(smart phone)、ＰＤＡ(Personal Digital Assistants)、ナビゲーション端末機などが含まれることができる。
【００１４】
図１は本発明の実施の形態に係るデータ送受信端末機を示す。
【００１５】
図１を参照すれば、データ送受信端末機１００は、制御モジュール１０１、通信モジュール１０２、インターフェースモジュール１０３、メモリー１０４、識別モジュール１０５及び電源モジュール１０６などを備える。
【００１６】
制御モジュール１０１はインターフェース部１０３を通じて個人用コンピューター(Personal computer)、ノート型パソコン(Notebook computer)などの外部情報端末機に接続されてその情報端末機からのデータを通信モジュール１０２に供給する。制御モジュール１０１は外部情報端末機からのデータをメモリー１０４に貯蔵しメモリー１０４に貯蔵されたデータを読み出しして通信モジュール１０２に供給する。また、制御モジュール１０１は通信モジュール１０２から受信されたデータに対してエラーをチェックし外部情報端末機で要求する形態の信号規格に変換してインターフェース部１０３に伝送する。
【００１７】
通信モジュール１０２はデータ送受信端末機１００と無線通信システムの間またはデータ送受信端末機１００と移動端末機が接続されたネットワークの間の無線通信ができるようにする一つ以上のモジュールを含むことができる。例えば、通信モジュール１０２は移動通信モジュール、放送受信モジュール、無線インターネットモジュール、近距離通信モジュール及び位置情報モジュールなどを含むことができる。このような通信モジュールは製造会社によって選択的に調整されることができる。
【００１８】
移動通信モジュールは、制御モジュール１０１からのデータを移動通信規格に当たるように変調して一つ以上のプライマリーアンテナ(Primary Antenna、１０７＿１〜１０７＿Ｎ)(Ｎは正の整数)と１つ以上のダイバーシティーアンテナ(Diversity Antenna、１０８＿１〜１０８＿Ｎ)を通じて移動通信網の基地局に送り出し、移動通信網の基地局から受信されるデータを復調して制御モジュール１０１に供給する。ここで、移動通信規格は、ＣＤＭＡ(Code Division Multiple Access)、ＷＣＤＭＡ(Wideband CDMA)、ＨＳＰＡ(High Speed Packet Access)、ＣＤＭＡ２０００、ＨＲＰＤ(High Rate Packet Data)、ＵＭＢ(Ultra Mobile Broadband)などを含むことができ、ひいては第４世代移動通信網、例えば、３ＧＰＰ ＬＴＥ(Long Term Evolution)規格、３ＧＰＰ２ ＵＭＢ(Ultra Mobile Broadband)規格などを含むことができる。
【００１９】
プライマリーアンテナ(１０７＿１〜１０７＿Ｎ)はＰＣＳ(personal communication service)周波数で信号を送受信するＰＣＳプライマリーアンテナ、ＣＤＭＡ／ＤＣＮ(Digital cellular network)/ＷＣＤＭＡ周波数で信号を送受信するＣＤＭＡ／ＤＣＮ／ＷＣＤＭＡプライマリーアンテナ、ＧＳＭ(Global System for Mobile communications)周波数で信号を送受信するＧＳＭプライマリーアンテナ、ＬＴＥ／ＵＭＢ周波数で信号を送受信するＬＴＥ／ＵＭＢプライマリーアンテナなどを含むことができる。ダイバーシティーアンテナ（１０８＿１〜１０８＿Ｎ）はＤＣＮ、ＰＣＳ周波数で信号を受信するｅ−ＨＲＰＤ用ダイバーシティーアンテナ、Ｗ−ＣＤＭＡ周波数で信号を受信するＨＳＤＰＡ(High-Speed Downlink Packet Access)/ＨＳＵＰＡ(High-Speed Uplink Packet Access)/ＨＳＰＡ用ダイバーシティーアンテナ、ＬＴＥ周波数で信号を受信するＬＴＥ用ダイバーシティーアンテナなどを含むことができる。各アンテナはマルチモジュール具現のためにＧＰＳ(Global Position System)アンテナなどが追加されることができる。データ送受信端末機１００はプライマリーアンテナとダイバーシティーアンテナのみならず、放送受信アンテナ、近距離通信アンテナなどをさらに含むことができる。
【００２０】
放送受信モジュールは放送受信アンテナを通じて外部の放送管理サーバーから放送信号及び/または放送に係わる情報を受信する。放送チャンネルは衛星チャンネル、地上波チャンネルを含むことができる。前記放送管理サーバーは、放送信号及び/または放送関連情報を生成して送信するサーバーまたは既生成された放送信号及び/または放送関連情報を提供受け端末機に送信するサーバーを意味することができる。前記放送信号はＴＶ放送信号、ラジオ放送信号、データ放送信号を含むだけでなく、ＴＶ放送信号またはラジオ放送信号にデータ放送信号が結合した形態の放送信号も含むことができる。放送関連情報は、放送チャンネル、放送プログラムまたは放送サービス提供者に関した情報を意味することができる。放送関連情報は移動通信網を通じて提供されることができる。この場合に、放送関連情報は通信モジュール１０２によって受信されることができる。放送関連情報はＤＭＢ(Digital Multimedia Broadcasting)のＥＰＧ(Electronic Program Guide)、またはＤＶＢ−Ｈ(Digital Video Broadcast-Handheld)のＥＳＧ(Electronic Service Guide)などの形態に生成することができる。放送受信モジュールはＤＭＢ−Ｔ(Digital Multimedia Broadcasting-Terrestrial)、ＤＭＢ−Ｓ(Digital Multimedia Broadcasting-Satellite)、ＭｅｄｉａＦＬＯ(Media Forward Link Only)、ＤＶＢ−Ｈ(Digital Video Broadcast-Handheld)、ＩＳＤＢ−Ｔ(Integrated Services Digital Broadcast-Terrestrial)などのデジタル放送システムからのデジタル放送信号を受信することができる。
【００２１】
無線インターネットモジュールはＷＬＡＮ(Wireless LAN)（Ｗｉ−Ｆｉ）、Ｗｉｂｒｏ(Wireless broadband)、Ｗｉｍａｘ(World Interoperability for Microwave Access)、ＨＳＤＰＡ(High Speed Downlink Packet Access)などを通じて無線インターネット網と接続される。近距離通信モジュールはブルートゥース(Bluetooth（登録商標）)、ＲＦＩＤ(Radio Frequency Identification)、赤外線通信(ＩｒＤＡ、infrared Data Association)、ＵＷＢ(Ultra Wideband)、ＺｉｇＢｅｅなどの近距離通信規格でデータを送受信する。位置情報モジュールはＧＰＳモジュールに選択されることができる。
【００２２】
インターフェースモジュール１０３は、外部情報端末機からのデータ送信を受け、または電源の供給を受けてデータ送受信端末機内部の各回路モジュールに伝達し、制御モジュール１０１からのデータを外部情報端末機に伝送する。インターフェースモジュール１０３はインターフェースコントローラーを含みインターフェース部１０３と情報端末機の有/無線接続を制御する。インターフェースコントローラーは有線インターフェースコントローラー及び/または無線インターフェースコントローラーを含む。例えば、インターフェースコントローラーはＵＳＢ(Universal Serial Bus)コントローラー、ＵＡＲＴ(Universal Asynchronous Receiver and Transceiver)、ＰＭＣＩＡ（Personal Computer Memory Card International Association)、ＲＳ２３２等のインターフェースコントローラーの中で少なくとも何れか一つを含むことができる。
【００２３】
インターフェースモジュール１０３は、有/無線データインターフェース、メモリーカード(memory card)フォト、識別モジュールカードフォトなどを含むことができる。有/無線データインターフェースはＵＳＢフォト、ＵＡＲＴフォト、ＰＭＣＩＡフォト、ＲＳ２３２フォトなどを含むことができる。ＵＳＢフォトはＵＳＢコネクターを含むことができる。
【００２４】
識別モジュールはインターフェースモジュール１０３の識別モジュールカードフォトに装脱着可能に挿入されてデータ送受信端末機に接続されることができる。データ送受信端末機１００が有/無線データインターフェースを通じて外部情報端末機が接続された状態で、外部情報端末機から電子商取引、電子金融などに係る認証要請が受信されれば、制御モジュール１０１は識別モジュール１０５に貯蔵された情報を読み出しして外部情報端末機に伝送する。識別モジュールは使用者認証モジュール(User Identify Module、ＵＩＭ)、加入者認証モジュール(Subscriber Identify Module、ＳＩＭ)、汎用使用者認証モジュール(Universal Subscriber Identity Module、ＵＳＩＭ)などを含むことができる。識別モジュールはスマートカード(smart card)形式に製作されることができる。このような識別モジュールには電話番号、通話情報、課金情報などが貯蔵される。
【００２５】
電源モジュール１０６はデータ送受信端末機１００内で電源が必要な回路モジュールに電源を供給する。一方、インターフェース部１０３を通じて外部情報端末機から電源の供給を受けることができるので電源モジュール１０６は、削除する、または最小化することができる。
【００２６】
図２及び図３は本発明のデータ送受信端末機１００の外観構造を互いに異なる方向で眺めた斜視図である。本発明の外観構造は図２及び図３に限定されるのではなく多様に変形可能であるということに留意しなければならない。
【００２７】
図２及び図３を参照すれば、本発明のデータ送受信端末機１００はヒンジ４０を間に置いて回動可能に結合される第１ボディー１０及び第２ボディー２０、及び第１ボディー１０に形成されたＵＳＢコネクター３０を備える。
【００２８】
第１ボディー１０は外観イメージを成すケース(他の表現で、ケーシング、ハウジング、カバーなどと称することができる)を含む。第１ボディー１０はフロントケースとリアケースに仕分けされることができる。第１ボディー１０のフロントケースとリアケースの間に形成された内部空間には図１の回路ブロックを具現するための各種電子部品が内蔵する。第１ボディー１０はヒンジ４０を通じて第２ボディー２０と締結される。第１ボディー１０には一つ以上のプライマリーアンテナ（１０７＿１〜１０７＿Ｎ）と１つ以上のダイバーシティーアンテナ（１０８＿１〜１０８＿Ｎ）が内蔵する。
【００２９】
第２ボディー２０はフロントケースとリアケースに仕分けされることができる。第２ボディー２０のフロントケースとリアケースの間に形成された内部空間には一つ以上のプライマリーアンテナ（１０７＿１〜１０７＿Ｎ）と１つ以上のダイバーシティーアンテナ（１０８＿１〜１０８＿Ｎ）が内蔵する。第２ボディー２０はヒンジ４０を通じて第１ボディー１０と締結されてＵＳＢコネクター３０を開閉することができる。第２ボディー２０には識別モジュールカード１０５が装脱着可能に締結されることができる。
【００３０】
第１ボディー１０及び第２ボディー２０のケースは合成樹脂を射出する方法で製作される、または金属材質、例えばステンレススチール（ＳＵＳ）またはチタン（Ｔｉ）などのような金属材質を有するように製作されることができる。
【００３１】
ＵＳＢコネクター３０は第１ボディー１０から突き出される。データ送受信端末機１００は外部情報端末機のＵＳＢインターフェースに接続されるＵＳＢコネクター３０を通じて外部情報端末機とデータ通信を遂行することができる。データ送受信端末機１００と外部情報端末機が無線インターフェース方式を採択する場合に、ＵＳＢコネクター３０の代りに無線インターフェース手段が第１端末機１０に設置されることができる。
【００３２】
図４Ａ乃至図４Ｃはデータ送受信端末機１００の内部構成を示す前方平面図、側面図及び後方平面図である。
【００３３】
図４Ａ乃至図４Ｃを参照すれば、第１ボディー１０には一つ以上のプリント回路ボード（ＰＣＢ、５１、５２）が内蔵され、その中のいずれか一つには一つ以上のプライマリーアンテナ（１０７＿１〜１０７＿Ｎ）と一つ以上のダイバーシティーアンテナ（１０８＿１〜１０８＿Ｎ）が設置される。第１ボディー１０に内蔵するアンテナは７００Ｍｈｚ／８５０Ｍｈｚ／１９００Ｍｈｚの広帯域モノポール(monopole)アンテナに具現されることができる。印刷回路ボード（５１、５２）には図１に示された回路ブロックの大部分構成が実装される。例えば、プリント回路ボード（５１、５２）には制御モジュール１０１、通信モジュール１０２、インターフェースモジュール１０３、メモリー１０４、及び電源モジュール１０６などの回路が実装される。プリント回路ボード（５１、５２）が２個以上分けられた場合にプリント回路ボード（５１、５２）はフレキシブル・プリント回路ボード(Flexible PCB、ＦＰＣＢ)とコネクターを通じて電気的に接続される。
【００３４】
第２ボディー２０には一つ以上のプライマリーアンテナ（１０７＿１〜１０７＿Ｎ）と１つ以上のダイバーシティーアンテナ（１０８＿１〜１０８＿Ｎ）が内蔵され、識別モジュールカード１０５が装脱着可能に挿入される識別モジュールカードフォトが設置される。第２ボディー２０に内蔵するアンテナは７００Ｍｈｚ／８５０Ｍｈｚ／１９００Ｍｈｚのチップ(Chip)アンテナあるいはモノポールアンテナに具現されることができる。また、第２ボディー２０にはアンテナと識別モジュールカード１０５を第１ボード１０のＰＣＢ（５１、５２）に電気的に接続するＦＰＣＢ（６１、６２）が内蔵する。第２ボディー２０に内蔵するアンテナはＦＰＣＢ（６１、６２）、あるいは、図示されていない同軸ケーブル(Coaxial cable)を通じて第１ボード１０に接続され第１ボード１０から給電を受けることができる。第２ボディー２０に内蔵したアンテナはＦＰＣＢや同軸ケーブルを通じて第１ボディー１０から給電を受けるようになるので、第１ボディー１０に内蔵したアンテナと第２ボディー２０に内蔵したアンテナのグラウンド面が分離して彼らの間のアイソレーション(Isolation)が改善する。
【００３５】
データ送受信端末機１００の第２ボディー２０は図５及び図６のように多様な連結構造、例えば、スライドタイプ(slide type)、スイベルタイプ(swivel type)、スイングタイプ(swing type)などを通じて第１ボディー１０に開閉可能に接続されることができる。
【００３６】
データ送受信端末機１００はＵＳＢインターフェースを通じて図７のように外部情報端末機２００に接続されることができる。データ送受信端末機１００を外部情報端末機２００に接続する時、第２ボディー２０は第１ボディー１０とおおよそ９０゜位の角度を成すようにヒンジ４０を通じて第１ボディー１０から回動されることが望ましい。データ送受信端末機１００をＵＳＢインターフェースを通じて外部情報端末機２００に接続するためには、第２ボディー２０を第１ボディー１０から９０゜の角度で開放しなければならない器具的特徴だけでなく、第１ボディー１０と第２ボディー２０が９０゜の角度で開く時、第１ボディー１０に内蔵したアンテナと第２ボディー２０に内蔵したアンテナが直交(orthogonal)配列されてポラリティダイバシティー(polarity diversity)を具現することができるので優秀なＭＩＭＯ品質を得ることができる。第２ボディー２０に内蔵するアンテナをパッチタイプチップ(patch type chip)アンテナで使えば、第１ボディー１０に内蔵したアンテナと第２ボディー２０に内蔵したアンテナのアイソレーション(Isolation)を改善してそのアンテナ間の干渉を最小化することができる。
【００３７】
データ送受信端末機１００は携帯可能に小型に製作される。小型のデータ送受信端末機１００に多重入出力（ＭＩＭＯ）技術を具現するために、プライマリーアンテナ（１０７＿１〜１０７＿Ｎ）とダイバーシティーアンテナ（１０８＿１〜１０８＿Ｎ）を配置すれば、アンテナ配置の空間上の制約によってアンテナ（１０７＿１〜１０７＿Ｎ、１０８＿１〜１０８＿Ｎ）が相互干渉(coupling)になることができる。
【００３８】
プライマリーアンテナ（１０７＿１〜１０７＿Ｎ）とダイバーシティーアンテナ（１０８＿１〜１０８＿Ｎ）の間のアイソレーション(Isolation)長さを長くしてアンテナ（１０７＿１〜１０７＿Ｎ、１０８＿１〜１０８＿Ｎ）の相互干渉を最小化するために、プライマリーアンテナ（１０７＿１〜１０７＿Ｎ）は第１ボディー１０のヒンジ反対側端部に配置され、ダイバーシティーアンテナ（１０８＿１〜１０８＿Ｎ）は第２ボディー２０に内蔵される。
【符号の説明】
【００３９】
１０１    制御モジュール 
１０２    通信モジュール
１０３    インターフェースモジュール
１０４    メモリー
１０５    識別モジュール
１０６    電源モジュール
１０７    プライマリーアンテナ
１０８    ダイバーシティーアンテナ
【図１】
2011082978.tif 000003
【図２】
2011082978.tif 000004
【図３】
2011082978.tif 000005
【図４Ａ】
2011082978.tif 000006
【図４Ｂ】
2011082978.tif 000007
【図４Ｃ】
2011082978.tif 000008
【図５】
2011082978.tif 000009
【図６】
2011082978.tif 000010
【図７】
2011082978.tif 000011